(57)【要約】【課題】スクリーンスピーカを接合して大画面を有するスクリーンスピーカの製造に際し、スクリーンスピーカの接合部を目立たないようにして、より鮮明な映像を画面に映し出すこと。【解決手段】  スクリーンスピーカシステム１０を、投影機にて映像を投射されるスクリーン１２と、スクリーン１２を駆動する駆動体５０と、を有するスクリーンスピーカ１１を１つのユニットとし、当該スクリーンスピーカ１１を複数接合して構成され、当該スクリーンスピーカ１１同士の接合部７１に存在する隙間または段差にパテ７７を充填し、そのパテ７７とその周囲のスクリーンスピーカ１１の表面に、均一な色および厚みの塗料７９を塗布した構成とする。【選択図】  図１４
2006339996.tif 000002
【特許請求の範囲】
【請求項１】
投影機にて映像を投射されるスクリーンと、上記スクリーンを駆動する駆動体と、を有するスクリーンスピーカを１つのユニットとし、当該スクリーンスピーカを複数接合して構成され、当該スクリーンスピーカ同士の接合部に存在する隙間または段差に充填材を充填し、その充填材とその周囲のスクリーンスピーカの表面に、均一な色および厚みの塗料を塗布していることを特徴とするスクリーンスピーカシステム。
【請求項２】
前記隙間または段差に充填された前記充填材とその周囲のスクリーンスピーカの表面とを平滑に研磨しており、その研磨面を含む全スクリーンスピーカの表面に、均一な色および厚みの塗料を塗布していることを特徴とする請求項１記載のスクリーンスピーカシステム。
【請求項３】
隣接する前記スクリーンスピーカは、前記接合部となる面に挿通孔を有し、その挿通孔にボルトを挿通し、ナットにより締結して接合されていることを特徴とする請求項１または２記載のスクリーンスピーカシステム。
【請求項４】
前記駆動体のそれぞれを個別に駆動するチャンネルを設けることを特徴とする請求項１から３のいずれか１項記載のスクリーンスピーカシステム。
【請求項５】
複数の前記スクリーンスピーカから構成される画面に映し出される画像の各部分に対応して音声の分布に応じて、前記チャンネル入力信号の切り替えを制御する制御ユニットを備えることを特徴とする請求項４記載のスクリーンスピーカシステム。
【請求項６】
投影機にて映像を投射されるスクリーンと、上記スクリーンを駆動する駆動部と、を有するスクリーンスピーカを１つのユニットとし、当該スクリーンスピーカを複数接合してなるスクリーンスピーカシステムの製造方法であって、
１つの大画面を形成するように上記複数のスクリーンスピーカをそれぞれ隣接させて接合する接合ステップと、
上記隣接して接合されたスクリーンスピーカの接合部に発生する隙間または段差に充填材を充填する充填ステップと、
その充填材とその周囲のスクリーンスピーカの表面に、均一な色および厚みの塗料を塗布する塗布ステップと、
を有することを特徴とするスクリーンスピーカシステムの製造方法。
【発明の詳細な説明】
【技術分野】
【０００１】
本発明は、外部から投射された映像を映し出すスクリーンから音を放出するスクリーンスピーカシステムに関する。
【背景技術】
【０００２】
従来から、スクリーンの中央に配置されるボイスコイルにセンタースピーカ用の信号を加え、その左右に配置されるボイスコイルに左右チャンネル用の信号を加えて、スクリーンの前方より音を放出させる直接駆動型スクリーンスピーカシステムが存在する。このようなタイプのスクリーンスピーカシステムとしては、例えば、特許文献１に開示されているものが知られている。
【０００３】
近年、より迫力ある映像を提供するために、ホームシアターシステムにおいて、当該映像を映し出すためのスクリーンの大型化が要求されており、上述の直接駆動型スクリーンスピーカシステムにおいても更なる画面の大型化が要求される。
【０００４】
【特許文献１】特開２００５−６４９３２号公報（図２１〜図２３）
【発明の開示】
【発明が解決しようとする課題】
【０００５】
しかしながら、特許文献１記載のスクリーンスピーカシステムにおいて、スクリーンの大型化を図る場合、スクリーンの材料となるアルミニウム薄板の外形寸法に規制される。例えば、現在市販されているアルミニウム板の外形の最大寸法は、２５００ｍｍ（長さ）×１２５０ｍｍ（幅）である。そのため、特許文献１記載のスクリーンスピーカシステムの構造では、上記外形寸法以上のものは望めない。
【０００６】
本発明は、かかる問題を解決するために、特許文献１に記載されるスクリーンスピーカを複数台用意して、これらを接合することによって、より大型の画面を備えるスクリーンスピーカシステムを製造することを考えた。このような接合を行う場合、スクリーンスピーカ同士の接合部に発生する隙間あるいは段差が問題となる。
【０００７】
本発明者は、先に、スクリーンスピーカ同士の接合部の隙間あるいは段差をそのまま維持した状態で映像をスクリーン全面に投射した。しかし、隙間あるいは段差に起因して映像に垂直方向あるいは水平方向の暗線が発生し、これが大画面化の大きな障害となることが分かった。
【０００８】
そこで、本発明者は、前述の接合部の隙間あるいは段差の上から、スクリーンと同色系統のテープを貼ってから、映像を投射してみた。しかし、スクリーンの色とテープの色とが少しでも違うと、テープの幅が視認され、余計に接合部が目立つことが分かった。
【０００９】
次に、本発明者は、スクリーンと同じ材質で、且つ同じ表面処理を施したテープを自作し、接合部を覆ってみた。具体的には、スクリーンの材質と同じアルミニウム板を用い、その表面をアルマイト処理してクリア塗装を施した幅１０ｍｍのテープを、接合部に貼ってみた。テープの厚みに関しても、薄いもの（約０．１ｍｍ）と厚いもの（０．１ｍｍ以上）を用意して覆ってみた。
【００１０】
しかし、接合部に発生した僅かな隙間や段差を覆うテープには微妙にうねりが生じ、当該うねりが接合部の存在を余計に際立たせることが分かった。特に、テープが薄くなる程、うねりがより一層発生しやすいことも分かった。さらに、テープが有する厚みが投射先により影を発生させ、正面からよりも前方斜め方向から映像を見たときに、その影が一層視認しやすいこともわかった。また、スクリーンと同じ材質、同じ表面処理を施したテープを用意することは、コストの上昇に繋がるため、現実には実施できないことが分かった。
【００１１】
本発明は、このような問題に鑑みてなされたものであり、スクリーンスピーカを接合して大画面を有するスクリーンスピーカを製造するに際し、スクリーンスピーカの接合部を目立たないようにして、より鮮明な映像を楽しめるようにすることを目的とする。
【課題を解決するための手段】
【００１２】
上記課題を解決するために、本発明は、投影機にて映像を投射されるスクリーンと、スクリーンを駆動する駆動体と、を有するスクリーンスピーカを１つのユニットとし、当該スクリーンスピーカを複数接合して構成され、当該スクリーンスピーカ同士の接合部に存在する隙間または段差に充填材を充填し、その充填材とその周囲のスクリーンスピーカの表面に、均一な色および厚みの塗料を塗布しているものである。
【００１３】
また、他の発明は、上述の発明に加えて更に、隙間または段差に充填された充填材とその周囲のスクリーンスピーカの表面とを平滑に研磨しており、その研磨面を含む全スクリーンスピーカの表面に、均一な色および厚みの塗料を塗布しているものである。
【００１４】
また、他の発明は、上述の発明に加えて更に、隣接するスクリーンスピーカは、接合部となる面に挿通孔を有し、その挿通孔にボルトを挿通し、ナットにより締結して接合されているものである。
【００１５】
さらに、他の発明は、上述の各発明に加えて更に、駆動体のそれぞれを個別に駆動するチャンネルを設けているものである。
【００１６】
さらに、他の発明は、上述の発明に加えて更に、複数のスクリーンスピーカから構成される画面に映し出される画像の各部分に対応して音声の分布に応じて、チャンネル信号の切り替えを制御する制御ユニットを備えるものである。
【００１７】
また、本発明の製造方法は、投影機にて映像を投射されるスクリーンと、スクリーンを駆動する駆動部と、を有するスクリーンスピーカを１つのユニットとし、当該スクリーンスピーカを複数接合してなるスクリーンスピーカシステムの製造方法であって、１つの大画面を形成するように複数のスクリーンスピーカをそれぞれ隣接させて接合する接合ステップと、隣接して接合されたスクリーンスピーカの接合部に発生する隙間または段差に充填材を充填する充填ステップと、その充填材とその周囲のスクリーンスピーカの表面に、均一な色および厚みの塗料を塗布する塗布ステップとを有するものである。
【発明の効果】
【００１８】
本発明によると、スクリーンスピーカを接合して大画面を有するスクリーンスピーカを製造するに際し、スクリーンスピーカの接合部を目立たないようにして、より鮮明な映像を画面に映し出すことが可能となる。
【発明を実施するための最良の形態】
【００１９】
（第１の実施の形態）
以下、本発明の第１の実施の形態に係るスクリーンスピーカシステム１０について、図１から図１９に基づいて説明する。スクリーンスピーカシステム１０は、１つのユニットとなるスクリーンスピーカ１１を４台接合することにより構成される。まず、スクリーンスピーカ１１の構成について説明する。
【００２０】
図１は、スクリーンスピーカ１１を示す斜視図であり、図２は、スクリーンスピーカ１１からスクリーン１２を取り除いた状態を示す斜視図である。また、図３は、スクリーン１２を駆動するための駆動体５０の近傍を示す図であり、（ａ）は、駆動体５０を分解した状態を示す断面図であり、（ｂ）は、駆動体５０を組み立てた状態を示す断面図である。図４は、スクリーンスピーカ１１の筐体１４を示す斜視図である。図５は、図３中の筐体１４を構成する裏板１５を示す斜視図である。なお、以下の説明では、図１、図４、図５において、一端側とは左斜め上方を指し、他端側とは右斜め下方を指す。また、図３において、一端側とは左側を指し、他端側とは右側を指すものとする。また、本実施の形態では、スクリーンを駆動させるための駆動体の一例としては、磁気回路３０とボイスコイル５２とを有する駆動体５０が採用されており、また、ハウジングとしては磁気回路３０を保持するための磁気回路ハウジング４０が採用されている。
【００２１】
スクリーンスピーカ１１は、直接駆動型のスクリーンスピーカであり、図１、図２および図３に示すように、外部からの映像を映し出すスクリーン１２と、スクリーン１２を保持する筐体１４と、スクリーン１２を振動させる駆動体５０と、駆動体５０を構成する磁気回路３０を保持する磁気回路ハウジング４０と、から主に構成されている。
【００２２】
筐体１４は、図４に示すように、３枚の裏板１５と、当該３枚の裏板１５を囲う枠体１６とから構成されている。裏板１５は、長方形の形状をした板状部材であり、ラワンを芯材とし、その表面にシナを重ね合わせた厚さ４ｍｍの合板となっており、さらにその表面には厚さ１ｍｍのアルミニウム板が接着されている。したがって、裏板１５は、表面にアルミニウム板を有する厚さ５ｍｍの合板となっている。また、枠体１６は、長方形の形状をした枠部材となる側枠１７と、その側枠１７の内側に長方形の短手方向に沿って配置される中桟１８とから構成されている。側枠１７および中桟１８は、アッシュ材を任意の厚さに削りだして３枚積層させた合板からなっている。
【００２３】
側枠１７は、図４に示すように、裏板１５の外縁に対して上方に配置されており、当該側枠１７の長手方向を構成する２つの長手側枠１７ａ，１７ａと、側枠１７の短手方向を構成する２つの短手側枠１７ｂ，１７ｂとから構成されている。長手側枠１７ａ，１７ａの外形寸法は共に、厚さ２４ｍｍ、幅３５ｍｍ、長さ１６８０．０ｍｍである。また、短手側枠１７ｂ，１７ｂの外形寸法は共に、厚さ２４ｍｍ、幅３５ｍｍ、長さ８９６．５ｍｍである。さらに、図２に示すように、長手側枠１７ａ，１７ａおよび短手側枠１７ｂ，１７ｂの所定の箇所には、長手方向に沿った１２個の貫通孔１７ｃおよび短手方向に沿った４個の貫通孔１７ｄが設けられている。当該貫通孔１７ｃ，１７ｄの直径は共に７ｍｍである。なお、図中、長手側枠１７ａおよび短手側枠１７ｂは、それぞれ１７（１７ａ）および１７（１７ｂ）で示されている。また、図２では、貫通孔１７ｃ，１７ｄの一部のみに符号を付している。中桟１８は、上述したように、側枠１７の内側に短手方向に向かって２本配置され、側枠１７の内側の領域を長手方向に沿って等間隔に３分割している。また、中桟１８の両端の端面は共に、長手側枠１７ａに接着剤により接合されており、枠体１６の強度を向上させる役割を果たしている（図４参照）。
【００２４】
図６は、筐体１４おいて裏板１５を枠体１６に装着する状態を示す分解斜視図である。また、図７は、図６中の矢示Ｅで示す部分の拡大図である。図８は、図１中のＫ−Ｋ線で切断した部分の部分断面図である。
【００２５】
また、枠体１６は、側枠１７の内側に中桟１８を取り付けることにより形成され、その後、図６に示すように、当該枠体１６の裏側から３枚の裏板１５が、中桟によって分割された３つの領域の裏側を塞ぐ形でそれぞれ配置される。図６において矢示Ｅで指す部分は、側枠１７の断面形状を示している。図７に示すように、スクリーン１２を筐体１４に装着する側である側枠１７の表側には、側枠１７の内周面１７ｃから外周面１７ｄに向かう途中の所定の位置にかけて溝加工を施した段部１７ｅが長手方向に沿って形成されている。裏板１５が取り付けられる側枠１７の裏側は、平坦な面となっており特に加工は施されていない。また、長手側枠１７ａの内側における所定の位置には、中桟１８が嵌まり込むための不図示の溝部が形成されている。
【００２６】
スクリーン１２は、側枠１７に設けられた段部１７ｅに嵌め込む形で取り付けられる。また、裏板１５は枠体１６の複数の箇所にネジ止めすることによって取り付けられる。以上のようにスクリーン１２および裏板１５が枠体１６に取り付けられた状態におけるスクリーンスピーカ１１の外縁部分の断面は、図８に示すような状態となっている。
【００２７】
さらに、図５に示すように、各裏板１５の中央には、スクリーンスピーカ１１の裏側からスクリーンスピーカ１１の内部に、磁気回路３０を挿入するための挿入孔１５ｍが、それぞれ設けられている。また、挿入孔１５ｍの外周縁には、磁気回路３０を保持する磁気回路ハウジング４０を裏板１５に固定するための取り付け孔１５ｒ（図３参照）が、周方向に沿って４５度間隔で８個設けられている。また、各裏板１５における下端面１５ｐの近傍には、挿入孔１５ｍの中心を通り、短手方向に向かう中心線に対して左右対称となるように２つの端子用孔１５ｑが設けられている（図５参照）。当該端子用孔１５ｑは、ボイスコイル５２電圧を伝達するための入力端子用基板（不図示）を配置するための孔である。すなわち、各裏面１５には、２つの端子用孔１５ｑが設けられていることとなる。
【００２８】
本実施の形態では、図２に示すように、筐体１４において２つの中桟１８により３つの等しい体積に分割された分割部１４ａのそれぞれに、磁気回路３０を保持するための磁気回路ハウジング４０が配置されている。
【００２９】
磁気回路３０は、図３（ａ）に示すように、ホルダ３１と、マグネット３２とから構成されている。ホルダ３１は、載置ホルダ３１ａと、保持ホルダ３１ｂとから構成されている。なお、図中、載置ホルダ３１ａおよび保持ホルダ３１ｂは、それぞれ、３１（３１ａ）および３１（３１ｂ）で示されている。載置ホルダ３１ａは、図３（ａ）に示すように、有底円盤状の底部３１ｃの中央から円柱状の円柱部３１ｄが、図３（ａ）における下方に突出するように形成されている。また、保持ホルダ３１ｂは、円板の中央に円柱部３１ｄが挿通できる大きさの円孔３１ｅを有する形状となっている。そして、リング状のマグネット３２を円柱部３１ｄに挿通させ、その下方から、保持ホルダ３１ｂを載置ホルダ３１の円柱部３１ｄに挿通させて、マグネット３２を載置ホルダ３１ａの底部３１ｃに対して係止させる。また、保持ホルダ３１ｂに形成されている円孔３１ｅの内周面と円柱部３１ｄの外周面との間には空隙部３０ｄが形成されている。以上のようにして、磁気回路３０は形成される。
【００３０】
図９は、磁気回路ハウジング４０を上方から見た場合の斜視図である。
【００３１】
磁気回路ハウジング４０は、その内部に磁気回路３０を配置させ、当該磁気回路３０を筐体１４に対して保持するための保持体である。また、磁気回路ハウジング４０は、裏板１５に設けられた挿入孔１５ｍの上方に位置するように配置し、裏板１５の裏側から取り付け孔１５ｒを介してネジ止めすることによって枠体１６に対して固定される。裏板１５に対してそれぞれ１つずつの磁気回路ハウジング４０が配置されるため、合計３つの磁気回路ハウジング４０が、筐体１４の内部に配置されることとなる。磁気回路ハウジング４０の外形は、図９に示すように、正面が正八角形をした正八面体となっている。図９において、上方の面を上面４０ａ、下方の面を下面４０ｂとすると、上面４０ａの外縁には、正八角形のそれぞれの辺に対応するように計８つの突出部４０ｃが溝により分離されて設けられている。そして、それぞれの突出部４０ｃの内側には、磁気回路ハウジング４０の中心軸線Ｍ−Ｍを中心とした円周を形成するようなテーパ部４０ｄが形成されている。
【００３２】
また、磁気回路ハウジング４０には、図３（ａ）および図９に示すように、中心軸線Ｍ−Ｍを中心とした円孔４１が設けられている。円孔４１は、上面４０ａから下面４０ｂに向かって順に、小径円孔部４１ａ、小径円孔部４１ａよりも大径となる中径円孔部４１ｂ、中径円孔部４１ｂよりも大径となる大径円孔部４１ｃとから構成されている。大径円孔部４１ｃは、実質的には円周状の突起部４１ｄの内側に形成されており、突起部４１ｄの外側は、全周に亘って削り取られた形となっている。また、削り取られた部分は、段部４１ｅとなっている。段部４１ｅは、図３（ａ）において、中径円孔部４１ｂと大径円孔部４１ｃとの境界となる境界面４１ｆよりも上方に位置するように形成されている。また、小径円孔部４１ａと中径円孔部４１ｂとの境界となる部分は、境界面４１ｇとなっている。小径円孔部４１ａの内周面と境界面４１ｇとが合わさる角部にはテーパ４１ｈが全周に亘って形成されている。
【００３３】
また、段部４１ｅには、裏板１５に設けられた取り付け孔１５ｒに対応するように、８個のネジ穴４１ｊが形成されている。さらに、境界面４１ｆにも、ネジ穴４１ｋが周方向に沿って４５度おきに８個設けられている。これらネジ穴４１ｋのそれぞれは、それぞれのネジ穴４１ｊに対して、周方向に沿って２２．５度ずらして形成されている。
【００３４】
また、図９に示すように、磁気回路ハウジング４０は、その正八面体を形成する８つの外周面４０ｆを有している。また、磁気回路ハウジング４０は、アルミニウムからできており、八角形の対向する辺の間の距離が１５０．８ｍｍとなっている。ただし、当該距離は、１５０．８ｍｍに限定されるものではない。
【００３５】
図３に示すように、スクリーン１２の裏面１２ａには、磁気回路ハウジング４０の位置と対応するように、３つのボイスコイル５２が配置されている。ボイスコイル５２は、スクリーン１２を駆動させる駆動体５０の一部を構成するもので、所定の寸法のコイルボビン５３に、コイル線を巻きつけることにより形成されている。また、図３に示すように、スクリーン１２の裏面１２ａには、入力端子５４を固定するための端子フランジ５５が取り付けられている。そして、ボイスコイル５２が巻回されたコイルボビン５３を端子フランジ５５に設けられた凹部５５ａに装着する。以上のようにして、ボイスコイル５２は、スクリーン１２の裏面１２ａに配置されている。
【００３６】
また、裏板１５に形成された２つの端子用孔１５ｑのそれぞれに入力端子基板が装着（不図示）され、スクリーン１２の裏面１２ａに取り付けたボイスコイル５２に入力するための入力信号用のリード線（不図示）が、裏板１５の表面に這うように取り付けられている。そして、各リード線（不図示）の一端は、ボイスコイル５２の入力端子５４接続され、各リード線（不図示）の他端は、入力端子用基板（不図示）に接続されている。
【００３７】
図１０は、駆動体５０の構成を示す図であり、（ａ）は、駆動体５０を組み立てる前の分解斜視図であり、（ｂ）は、駆動体５０を組み立てた状態で、裏板１５の裏側から見た場合の斜視図である。
【００３８】
図３（ａ）に示すように、筐体１４に磁気回路ハウジング４０を配置させ、かつスクリーン１２を筐体１４に取り付けた状態で、図３（ｂ）に示すように、裏板１５の裏側から、磁気回路３０を磁気回路ハウジング４０の円孔４１に、マグネット３２の角部３１ｆが磁気回路ハウジング４０の境界面４１ｇに当接するまで挿入される。このようにして、ボイスコイル５２は、磁気回路３０に形成された空隙部３０ｄの内部に配置される。次に、上記のように磁気回路３０が所定の位置に配置された状態で、当該磁気回路３０を保持するための中心孔を有する円板状の保持板３３を、図３における磁気回路３０の上方から磁気回路ハウジング４０の大径円孔部４１ｃに嵌め込む。図１０に示すように、保持板３３には、磁気回路ハウジング４０に形成されているネジ穴４１ｋに対応するように円周方向に８個のネジ孔３３ａが設けられている。このため、当該ネジ孔３３ａにネジを挿通させて、ネジ穴４１ｋにて保持板３３を磁気回路ハウジング４０に対してネジ止めできる。以上のようにして、図３（ｂ）に示すように、磁気回路３０は筐体１４内に収納される。
【００３９】
次に、スクリーンスピーカシステム１０の構成について説明する。図１１は、スクリーンスピーカシステム１０を組み立てる過程を示す図であり、１つのスクリーンスピーカ１１を配置した状態を示す図である。図１２は、スクリーンスピーカシステム１０を組み立てる過程を示す図であり、２つのスクリーンスピーカ１１を接合した状態を示す図である。図１３は、スクリーンスピーカシステム１０を組み立てる過程を示す図であり、３つのスクリーンスピーカ１１を接合した状態を示す図である。図１４は、スクリーンスピーカシステムの基本ユニット７０を示す図である。図１５は、基本ユニット７０における接合部にパテ７７が充填され、且つ、研磨された状態のスクリーン部７３を示す正面図である。図１６は、スクリーン部７３に塗料７９を塗布した状態を示す正面図である。図１７は、スクリーンスピーカ１１の長手側枠１７ａをボルト６１とナット６３によって接合した状態を示す側断面図である。図１８は、図１７中の矢示Ｐで示す部分の拡大図であり、（ａ）は、接合部７１にパテ７７を充填した状態を示す図であり、（ｂ）は、接合部７１にパテ７７を充填し、且つ、研磨した後、スクリーン部７３に塗料７９を塗布した状態を示す図である。
【００４０】
上述したように、スクリーンスピーカシステム１０は、１つのユニットとなる直接駆動型のスクリーンスピーカ１１を、図１４に示すように、４台接合することによって構成される。スクリーンスピーカ１１の外形寸法は、幅１６８．０９ｍｍ、高さ８９６．５ｍｍ、奥行き３５ｍｍであり、７５インチサイズの直接駆動型スクリーンスピーカである。また、スクリーンスピーカ１１の外形寸法は、これに限られるものではなく、他の外形寸法としても良い。
【００４１】
以下、図１４において、左下に配置されているスクリーンスピーカ１１をスクリーンスピーカ１１ａ、左上に配置されているスクリーンスピーカ１１をスクリーンスピーカ１１ｂ、右下に配置されているスクリーンスピーカ１１をスクリーンスピーカ１１ｃ、右上に配置されているスクリーンスピーカ１１をスクリーンスピーカ１１ｄとする。スクリーンスピーカ１１ａ〜１１ｄの各長手側枠１７ａおよび各短手側枠１７ｂには、貫通孔１７ｃ，１７ｄが設けられている。そのため、図１４に示すように、上下左右にスクリーンスピーカ１１ａ〜１１ｄを配置させ、隣接する長手側枠１７ａ，１７ａの貫通孔１７ｃ，１７ｃおよび隣接する短手側枠１７ｂ，１７ｂの貫通孔１７ｄ，１７ｄにボルト６１を挿通させ、当該ボルト６１をナット６３にて締結することにより当該上下左右に配置されたスクリーンスピーカ１１ａ〜１１ｄを固定することができる。長手側枠１７ａ，１７ａがボルト６１およびナット６３により固定された状態の断面図は図１７に示される。図１７では、上述したように、隣接する長手側枠１７ａ，１７ａのそれぞれに形成された貫通孔１７ｃ，１７ｃにボルト６１が挿通され、当該ボルト６１をナット６３によって締結することで長手側枠１７ａ，１７ａが互いに固定されている。以上のようにスクリーンスピーカ１１ａ〜１１ｄを接合することによって外形寸法が１５０インチとなるスクリーンスピーカシステム１０の基本ユニット７０が完成する。
【００４２】
基本ユニット７０のスクリーン部７３には、スクリーンスピーカ１１ａとスクリーンスピーカ１１ｂの接合部７１ａ、スクリーンスピーカ１１ｃとスクリーンスピーカ１１ｄの接合部７１ｂ、スクリーンスピーカ１１ａとスクリーンスピーカ１１ｃの接合部７１ｃおよびスクリーンスピーカ１１ｂとスクリーンスピーカ１１ｄの接合部７１ｄが形成されている。何らの手段も施さなければ、スクリーン部７３の表面には、当該４箇所の接合部７１ａ，７１ｂ，７１ｃ，７１ｄが、当該スクリーン部７３の中心部から十字状に現れる。また、当該状態における接合部７１ａ，７１ｂ，７１ｃ，７１ｄのそれぞれには、隙間や段差等が発生している。そのため、何らの手段も施さなければ、基本ユニット７０のスクリーン部７３に投射機から映像を投射した場合、スクリーン部７３には、接合部７１ａ，７１ｂ，７１ｃ，７１ｄ（以下、接合部７１ａ，７１ｂ，７１ｃ，７１ｄをまとめていう場合には単に接合部７１という。）の部分に十字状の黒線が明確に現れる。
【００４３】
図１５は、基本ユニット７０における接合部７１に発生した隙間部分や段差部分に充填材となるパテ７７を充填したスクリーン部７３の概略図である。接合部７１に発生した隙間部分や段差部分には、パテ７７が充填される。接合部７１にパテ７７を充填した部分の状態は、図１８（ａ）に示される。当該パテ７７が硬化すると、パテ７７が充填された部分は、研磨材によって研磨される。本実施の形態では、充填材としてはパテ７７が使用されているが、シリコン樹脂等他の材料を充填材として用いても良い。また、研磨材としては、サンドペーパーが使用されているがこれに限られるものではない。上述したように接合部７１にパテ７７を充填した後、当該部分を研磨することで、接合部７１は、スクリーン部７３の面と同一平面となる。
【００４４】
スクリーン部７３の接合部７１が研磨された後、スクリーン部７３の表面全体には塗料７９が均一に塗布される。ここで均一とは、色および厚みの両面において、ムラがないようにという意味である。図１６は、塗料７９が塗布された状態のスクリーン部７３の概略図である。本実施の形態では、塗料７９としては、エスベンやオルガナイト等の有機溶剤系の艶消し白色塗料が使用される。当該塗料７９は、エアースプレーガンにてスクリーン部７３に吹き付けられる。しかし、塗料７９の種類および塗装方法は、前述のものに限られず、目的に応じて、他の塗料および塗装方法を採用しても良い。図１８（ｂ）は、塗装後の接合部７１近傍の状態を示す部分断面図である。図１８（ｂ）に示すように、塗装後には、スクリーン部７３からは、接合部７１に発生する隙間や段差は完全に消滅する。そのため、塗装後には、あたかも１枚の大きなスクリーンの如く見えるスクリーン部７３を有するスクリーンスピーカシステム１０が完成する。
【００４５】
次に、スクリーンスピーカシステム１０の組立工程について説明する。
【００４６】
スクリーンスピーカシステム１０の組み立ては、一般的には、その外形寸法の大きさから運搬等の取り扱いを考慮すると、４つのスクリーンスピーカ１１（１１ａ〜１１ｄ）を個別の状態で所定の配置場所に搬入してから組み立てられる。
【００４７】
組立作業としては、まず、裏板１５が取り外された状態で、１つのユニットとなるスクリーンスピーカ１１ａを、図１１に示すように、左下方に配置する。さらに、図１２に示すように、裏板１５が取り外されたスクリーンスピーカ１１ｂをスクリーンスピーカ１１ａの上方に配置する。次に、スクリーンスピーカ１１ａとスクリーンスピーカ１１ｂを、ボルト６１とナット６３を有する接合手段６０によって接合する。接合方法は、図１７に示すように、スクリーンスピーカ１１ａ，１１ｂの裏側から、当該スクリーンスピーカ１１ａ，１１ｂにおいて隣接している長手側枠１７ａ，１７ａのそれぞれに形成された貫通孔１７ｃ，１７ｃにボルト６１を挿通し、当該ボルト６１をナット６３によって締結する。このようにボルト６１をナット６３によって締結することで、スクリーンスピーカ１１ａとスクリーンスピーカ１１ｂは接合される。
【００４８】
次に、図１３に示すように、スクリーンスピーカ１１ａの右側に裏板１５が取り外された状態のスクリーンスピーカ１１ｃを配置する。上述と同様に、スクリーンスピーカ１１ａ，１１ｃの裏側から、当該スクリーンスピーカ１１ａ，１１ｃにおいて隣接している短手側枠１７ｂ，１７ｂをボルト６１とナット６３によって締結する。このようにして、スクリーンスピーカ１１ａとスクリーンスピーカ１１ｃが接合される。さらに、スクリーンスピーカ１１ｃの上方に裏板１５が取り外された状態のスクリーンスピーカ１１ｄを配置し、上述と同様に、スクリーンスピーカ１１ｃとスクリーンスピーカ１１ｄ、スクリーンスピーカ１１ｂとスクリーンスピーカ１１ｄを接合する。次に、４つのスクリーンスピーカ１１ａ〜１１ｄが接合された状態で、各クスクリーンスピーカ１１ａ〜１１ｄに裏板１５を取り付ける。以上のようにして、図１４に示すように、スクリーンスピーカ１１ａ〜１１ｄが接合され、基本ユニット７０が形成される（接合ステップ）。
【００４９】
基本ユニット７０のスクリーン部７３の表面における接合部７１には、隙間や段差等が発生している。そのため、この隙間や段差等をなくす目的で、当該隙間部分や段差部分にパテ７７を充填する（充填ステップ）。パテ７７が充填された接合部の状態では、図１８（ａ）に示すように、パテ７７は、スクリーン部７３の表面から突出しているので、当該パテ７７が硬化した後、パテ７７が塗布された部分を研磨材によって研磨する。研磨は、サンドペーパーを用いて行われる。研磨後の接合部７１の面は、スクリーン部７３と同一平面となる。但し、研磨せずに、パテ７７の表面とスクリーン部７３の表面とを同一平面に処理できる場合には、研磨の工程を省くことができる。例えば、パテ７７を充填直後に、スクリーン部７３におけるパテ７７とその周辺領域を平滑部材を用いてぬぐい、余分なパテ７７を除去しても良い。その後、パテ７７が硬化すると、パテ７７とその周辺のスクリーン部７３は、同一平面となる。
【００５０】
スクリーン部７３の接合部７１が研磨された後、スクリーン部７３の表面全体には塗料７９が均一に塗布される。塗料７９はエアースプレーガンによってスクリーン部７３に吹き付けられる。塗装完了後には、図１８（ｂ）に示すように、スクリーン部７３からは、接合部７１に発生する隙間や段差は完全に消滅する（塗布ステップ）。以上のような工程を経てスクリーンスピーカシステム１０は完成する。
【００５１】
次に、スクリーンスピーカシステム１０の駆動システム８０について説明する。
【００５２】
図１９は、スクリーンスピーカシステム１０の駆動システム８０の構成を示す図である。
【００５３】
駆動システム８０は、主に、スクリーンスピーカシステム１０と接続される制御ユニットとしてのメインユニット８１と、ＤＶＤプレーヤ８２と、プロジェクタ８３とから構成されている。ＤＶＤ等の記録媒体に記録された映像信号と音声信号は、メインユニット８１を介して、適切な信号に変換される。そして、変換された映像信号と音声信号に基づいて、スクリーンスピーカシステム１０に映像が投射されると共に各駆動部５０が駆動する。
【００５４】
本実施の形態では、スクリーンスピーカシステム１０に映し出される映像を、ビデオカメラを用いて撮影する際に、当該映像に対する適した音声が、スクリーンスピーカシステム１０から発せられるように、複数の音声信号をビデオカメラ（不図示）に内蔵されたメモリに記録される。当該ビデオカメラには、音声信号の数に対応可能な複数のマイクが設けられており、撮影される映像の音声は当該マイクを通じてメモリに記録される。また、各マイクに入力される音量は調節可能となっており、各マイクによって記録された音声信号は、異なる音量および音質の音声信号として、音声の分布に応じてメモリに個別に格納される。したがって、ビデオカメラに設けられたマイクの数が多いほど、メモリに格納される音声信号の数も多くなる。また、メモリには、上記音声信号と共に撮影された映像信号も記録される。メモリに記録された音声信号と映像信号は、音響システムによって再生可能となるように、メモリからＤＶＤ等の記録媒体に複製される。
【００５５】
メインユニット８１は、信号処理部８４と、ビデオデコーダ８５と、オーディオデコーダ８６と、制御部８７と、アンプ８８と、チャンネル９０と、端子部９１と、から主に構成されている。
【００５６】
信号処理部８４は、ＤＶＤプレーヤ８２から送信された映像信号と音声信号を、制御部８７からの信号に基づいて信号処理を行う部分である。ビデオデコーダ８５は、信号処理部８４から出力されたエンコード後の映像信号をデコードする部分である。また、オーディオデコーダ８６は、音声再生手段として機能し、信号処理部８４から出力されたエンコードされた音声信号をデコードし、さらに当該信号をデジタル信号からアナログ信号に変換する部分である。アンプ８８は、オーディオデコーダ８６から入力された音声信号を増幅する部分である。チャンネル９０は、信号処理部８４の切り替え制御に基づいて、駆動体５０に音声信号を送信する部分である。端子部９１は、複数の駆動体５０から各チャンネル９０を形成するための配線接続が行われる部分である。また、制御部８７は、操作部９２の操作に応じて信号処理部８４における映像信号若しくは音声信号の信号処理の制御、ビデオデコーダ８５若しくはオーディオデコーダ８６でのデコード処理の制御およびアンプ８８の増幅率の制御を行う部分である。
【００５７】
次に、操作者が操作部９２を操作した場合の駆動システム８０の動作を説明する。なお、本実施の形態では、図１４に示される、スクリーンスピーカシステム１０に配置されている１２個の駆動体５０のうち、駆動体５０ａ，５０ｂは、図１９に示すように、端子部９１ａを介して左上チャンネル９０ａに接続される。また、駆動体５０ｃ，５０ｄは、図１９に示すように、端子部９１ｂを介して中上チャンネル９０ｂに接続される。また、駆動体５０ｅ，５０ｆは、図１９に示すように、端子部９１ｃを介して右上チャンネル９０ｃに接続される。また、駆動体５０ｇ，５０ｈは、図１９に示すように、端子部９１ｄを介して左下チャンネル９０ｄに接続される。また、駆動体５０ｉ，５０ｊは、図１９に示すように、端子部９１ｅを介して中下チャンネル９０ｅに接続される。また、駆動体５０ｋ，５０ｌは、図１９に示すように、端子部９１ｆを介して右下チャンネル９０ｆに接続される。各チャンネル９０ａ，９０ｂ，９０ｃ，９０ｄ，９０ｅ，９０ｆの配線は、端子部９１ａ，９１ｂ，９１ｃ，９１ｄ，９１ｅ，９１ｆにそれぞれ接続されている。
【００５８】
まず、操作者が、所望のＤＶＤをＤＶＤプレーヤ８２にセットし、ＤＶＤプレーヤ８２の再生を開始する。すると、ＤＶＤプレーヤ８２から映像信号と音声信号が信号処理部８４に送信される。そして、操作者が操作部９２によって信号を制御部８７に送信すると、制御部８７から制御された信号が信号処理部８４に入力される。そして、制御部８７から入力された制御信号に基づいて、信号処理部８４に送信された映像信号と音声信号が、信号処理部８４にて適切な信号とに処理される。そして、処理された信号が、信号処理部８４からビデオデコーダ８５とオーディオデコーダ８６に入力される。そして、ビデオデコーダ８５では、信号処理部８４から出力されたエンコードされた映像信号がデコードされ、プロジェクタ８３に送信される。そして、プロジェクタ８３からは、映像がスクリーン部７３に向かって投射される。オーディオデコーダ８６では、信号処理部８４から出力されたエンコードされた音声信号がデコードされ、当該信号がデジタル信号からアナログ信号に変換される。そして、変換された信号が、各アンプ８８ａ〜８８ｆに入力され、各アンプ８８ａ〜８８ｆにおいて音声信号が各アンプ８８ａ〜８８ｆの増幅率に基づいて増幅される。そして、各アンプ８８ａ〜８８ｆからの音声信号が、各チャンネル９０ａ〜９０ｆに入力される。各チャンネル９０ａ〜９０ｆは、信号処理部８４の切り替え制御に基づいて、端子部９１ａ〜９１ｆに音声信号を送信する。そして、端子部９１ａ〜９１ｆから各チャンネル９０ａ〜９０ｆによって切り替え制御された音声信号が駆動体５０ａ〜５０ｌに送信される。駆動部５０ａ，５０ｂ、駆動部５０ｃ，５０ｄ、駆動部５０ｅ，５０ｆ、駆動部５０ｇ，５０ｈ、駆動部５０ｉ，５０ｊおよび駆動部５０ｋ，５０ｌは、それぞれ対となっており、同じチャンネル９０の制御を受ける。また、本実施の形態では、撮影・収音時に４つのマイク（不図示）を用いている。各マイクは、撮影領域に向かって左上、右上、左下および右下の４方向に向けられている。このため、左上に向けられたマイクから主に収音された音声は、駆動体５０ａ，５０ｂから出力するようにしている。また、右上に向けられたマイクから主に収音された音声は、駆動体５０ｅ，５０ｆから出力するようにしている。さらに、左下に向けられたマイクから主に収音された音声は、駆動体５０ｇ，５０ｈから出力するようにしている。また、右下に向けられたマイクから主に収音された音声は、駆動体５０ｋ，５０ｌから出力するようにしている。さらに、駆動体５０ｃ，５０ｄは、左上および右上に向けられた両マイクから収音された音声を合成して出力している。また、同様に、駆動体５０ｉ，５０ｊは、左下および右下に向けられた両マイクから収音された音声を合成して出力している。
【００５９】
以上のように構成されたスクリーンスピーカシステム１０では、７５インチの大きさのスクリーンスピーカ１１を１つのユニットとして、４つの当該スクリーンスピーカ１１（１１ａ〜１１ｄ）を接合することにより、１５０インチの大きさのスクリーンスピーカシステム１０が形成されている。このような方法を採用することで、スクリーンスピーカシステム１０を形成することにより、スクリーンの材料や各種部材の材料の大きさに制限されることなく、スクリーンスピーカシステム１０の大型化を図ることが可能となる。
【００６０】
また、スクリーンスピーカシステム１０では、４つのスクリーンスピーカ１１（１１ａ〜１１ｄ）を接合することにより、スクリーンスピーカシステム１０の大型化を図っている。このため、１つのユニットとなるスクリーンスピーカ１１（１１ａ〜１１ｄ）の大きさを適宜変更することにより、容易にスクリーンスピーカシステム１０の大きさを変えることが可能となる。例えば、スクリーンスピーカ１１のユニットの大きさを７５インチではなく、１００インチとすることにより２００インチの大きさのスクリーンスピーカシステム１０を得ることができる。したがって、目的に応じて、ユニットの大きさを選択することで、設計に自由度を持たせることが可能となる。
【００６１】
また、スクリーンスピーカシステム１０では、スクリーンスピーカ１１を１つのユニットとしているが、スクリーンスピーカ１１の分割部１４ａを１つのユニットとしても良い。このような構成とすることで、ユニットの構成が単純となり、当該ユニットの製造工程を削減できる。また、ユニットの小型化を図ることにより、当該ユニットに配置される駆動体５０の数も減少する。したがって、各ユニットにおける音圧等の微調整が容易に行えるため、各ユニットに対する品質精度の低下を防ぐことが可能となる。
【００６２】
また、スクリーンスピーカシステム１０では、接合部７１にパテ７７からなる充填材を充填し、当該部分を研磨した後、塗装処理を行っている。このような処理を行うことで、映像をスクリーン部７３に投射した場合に、接合部７１に現れる十字状の線を確実になくすことが可能となる。
【００６３】
また、スクリーンスピーカシステム１０では、ボルト６１とナット６３を用いて各スクリーンスピーカ１１（１１ａ〜１１ｄ）を接合している。このため、簡単な構成によって各スクリーンスピーカ１１（１１ａ〜１１ｄ）を大きな接合強度で接合することが可能となる。したがって、複数のスクリーンスピーカ１１を接合することによって大型化を図る場合、安定した強度を維持することが可能となり、スクリーンスピーカシステム１０の品質も向上する。
【００６４】
また、スクリーンスピーカシステム１０では、４つのスクリーンスピーカ１１（１１ａ〜１１ｄ）を接合することにより、スクリーンスピーカシステム１０の大型化を図っている。また、スクリーンスピーカシステム１０には、合計１２個の駆動体５０が配置されている。そして、２つの駆動体５０を、端子部９１においてまとめて配線接続し、６つのチャンネル９０ａ〜９０ｆにそれぞれ接続している。したがって、各チャンネル９０ａ〜９０ｆに異なった信号を入力し６組の駆動体５０をそれぞれ独立に駆動することが可能となる。また、目的に応じて、チャンネルの数を増やしたり減らしたりすることも可能である。例えば、１２個の駆動体５０を独立に駆動するために、チャンネル９０および端子部９１をそれぞれ１２個設けても良い。また、収音時のマイクは４つに限定されず、例えば６組の駆動体５０用の音声を収音すべく６つとしたり、あるいは駆動体５０の数と同数としても良い。
【００６５】
（第２の実施の形態）
次に、本発明の第２の実施の形態に係るスクリーンスピーカシステム１０について、説明する。なお、本実施の形態においては、第１の実施の形態に係るスクリーンスピーカシステム１０の構成および駆動システム８０は、共通の構成であり、同じ作用・効果についてもその説明を省略する。また、第１の実施の形態と同一の部材、同一の部分には同一の符号を付すと共にその説明を省略または簡略化する。なお、第２の実施の形態では、ＤＶＤ等の記録媒体への信号の記録手段のみが異なるため、その相違部分について述べる。
【００６６】
本実施の形態に係るスクリーンスピーカシステム１０は、第１の実施の形態の場合と同様に、４つのスクリーンスピーカ１１ａ〜１１ｄを接合することによって構成されている。
【００６７】
また、本実施の形態では、ビデオカメラを用いての撮影時には、音声信号の調節は行われない。撮影後に、メモリ等に記録された映像信号と音声信号を、ＤＶＤ等の記録媒体に記録する際に、スクリーンスピーカシステム１０の各駆動体５０から発せられる音声が、スクリーン部７３に映し出される映像に対して、より効果的な音響効果を有するためにミキシングが行われる。具体的には、当該ミキシングでは、映像において音の発生源とマッチするように、各駆動体５０からの音声出力を調整し、より効果的な出力信号を得ている。そして、ミキシングにより得られた出力信号が、ＤＶＤ等の記録媒体に記録される。
【００６８】
以上のようにして、得られたＤＶＤを、ＤＶＤプレーヤ８２で再生することにより、駆動システム８０により、記録された映像信号がプロジェクタ８３に入力され、音声信号が各チャンネル９０ａ〜９０ｆに入力される。そして、スクリーン部７３に映し出される映像の動作に合わせて、ミキシングされた音声信号が各チャンネル９０ａ〜９０ｆを介して各駆動体５０に入力される。したがって、スクリーン部７３に映し出される映像の動作に合わせた効果的な音声を出力することができる。
【００６９】
また、スクリーンスピーカシステム１０では、合計１２個の駆動体５０が配置されている。そして、２つの駆動体５０を、端子部９１において、まとめて配線接続し、それぞれの端子部９１に接続された駆動体５０を、左上チャンネル９０ａ、中上チャンネル９０ｂ、右上チャンネル９０ｃ、左下チャンネル９０ｄ、中下チャンネル９０ｅおよび右下チャンネル９０ｆに接続している。したがって、映像に対して適した音声を発するようにミキシングされた音声信号が、各チャンネル９０ａ〜９０ｆにそれぞれ入力されて各駆動体５０が駆動される。したがって、スクリーン部７３に映し出される映像の動作に合わせて効果的な音声を出力することができる。特に、スクリーン部７３に映し出された人物あるいは自動車等のオブジェクトの移動に伴って、当該オブジェクトの存在する分割部１４ａの駆動体５０から音声が出力されるため、より優れた音響効果を得ることが可能となる。
【００７０】
また、スクリーンスピーカシステム１０では、ミキシングにより映像信号と音声信号を調整しているため、映像を撮影した後に、自由に音質を調整することができる。したがって、スクリーンスピーカシステム１０に映し出される映像に対する音声に自由度を与えることが可能となる。
【００７１】
以上、本発明の各実施の形態について説明したが、本発明はこれ以外にも種々変形可能となっている。以下、それについて述べる。
【００７２】
上述の各実施の形態では、４つのスクリーンスピーカ１１ａ〜１１ｄを接合することによりスクリーンスピーカシステム１０が構成されているが、これに限られることなく、スクリーンスピーカ１１の数を５つ以上としても良いし、３つ以下としても良い。また、スクリーンスピーカ１１の大きさを７５インチに限ることなく、さらに大きくしても、さらに小さくしても良い。また、異なる大きさのスクリーンスピーカ１１を複数組み合わせてスクリーンスピーカシステム１０を構成するようにしても良い。
【００７３】
また、上述の各実施の形態では、スクリーンスピーカ１１ａ〜１１ｄをボルト６１とナット６３によって固定しているが、ワッシャ等の補助金具を介しボルト６１とナット６３によって固定するようにしても良い。また、ボルト６１とナット６３に限ることなく、接着や溶接等の他の手段によってスクリーンスピーカ１１ａ〜１１ｄを接合するようにしても良い。
【００７４】
また、上述の各実施の形態では、チャンネル９０を６つとしているが、これに限ることなく、５つ以下としても良いし、７つ以上としても良い。また、各チャンネル９０ａ〜９０ｆの数と駆動体５０の数とを同一としたり、異ならせるようにしても良い。
【００７５】
また、上述の各実施の形態では、各チャンネル９０ａ〜９０ｆと同じ数のアンプ８８ａ〜８８ｆが配設されているが、これに限ることなく、アンプ８８の数をチャンネル９０の数より少なくしても良い。また、フィルタ回路やコンデンサをメインユニット８１の内部に配置させることで各チャンネル９０ａ〜９０ｆに入力される信号の周波数を調整するようにしても良い。
【００７６】
また、上述の各実施の形態では、分割部１４ａは、筐体１４の内部に３つ設けられているが、これに限らず、２つあるいは、４つ以上としても良い。さらには分割しなくても良い。また、中桟１８を側枠１７の短手方向および長手方向に複数配置させ、中桟１８のみによって囲まれた部分を分割部とするようにしても良い。それに伴い、スクリーンスピーカシステム１０に配置される駆動体５０の数を１３個以上としても良いし、１１個以下としても良い。
【産業上の利用可能性】
【００７７】
本発明のスクリーンスピーカは、スクリーンの全面より音を放出するスピーカ等の音響変換装置において利用することができる。
【図面の簡単な説明】
【００７８】
【図１】本発明の第１の実施の形態に係るスクリーンスピーカを示す斜視図である。
【図２】本発明の第１の実施の形態に係るスクリーンスピーカからスクリーンを取り除いた状態を示す斜視図である。
【図３】本発明の第１の実施の形態に係るスクリーンスピーカに使用される駆動体近傍の部分を示す図であり、（ａ）は、駆動体を分解した状態を示す断面図であり、（ｂ）は、駆動体を組み立てた状態を示す断面図である。
【図４】本発明の第１の実施の形態に係るスクリーンスピーカの筐体を示す斜視図である。
【図５】図３中の筐体を構成する裏板を示す斜視図である。
【図６】本発明の第１の実施の形態に係るスクリーンスピーカの筐体おいて裏板を枠体に装着する状態を示す分解斜視図である。
【図７】図６中の矢示Ｅで示す部分の拡大図である。
【図８】図１中のＫ−Ｋ線で切断した部分の部分断面図である。
【図９】図２に示す、磁気回路ハウジングを上方から見た場合の斜視図である。
【図１０】駆動体の構成を示す図であり、（ａ）は、駆動体を組み立てる前の分解斜視図であり、（ｂ）は、駆動体を組み立てた状態で、裏板の裏側から見た場合の斜視図である。
【図１１】本発明の第１の実施の形態に係るスクリーンスピーカシステムを組み立てる過程を示す図であり、スクリーンスピーカを１つ配置した状態を示す図である。
【図１２】本発明の第１の実施の形態に係るスクリーンスピーカシステムを組み立てる過程を示す図であり、２つのスクリーンスピーカを接合した状態を示す図である。
【図１３】本発明の第１の実施の形態に係るスクリーンスピーカシステムを組み立てる過程を示す図であり、３つのスクリーンスピーカを接合した状態を示す図である。
【図１４】本発明の第１の実施の形態に係るスクリーンスピーカシステムの基本ユニットを示す図である。
【図１５】図１４に示す、基本ユニットにおける接合部にパテが充填され、且つ、研磨された状態のスクリーン部を示す正面図である。
【図１６】図１４に示す、スクリーン部に塗料を塗布した状態を示す正面図である。
【図１７】スクリーンスピーカの長手側枠をボルトとナットによって接合した状態を示す側断面図である。
【図１８】図１７中の矢示Ｐで示す部分の拡大図であり、（ａ）は、接合部にパテを充填した状態を示す図であり、（ｂ）は、接合部にパテを充填し、且つ、研磨した後、スクリーン部に塗料を塗布した状態を示す図である。
【図１９】スクリーンスピーカシステムの駆動システムの構成を示す図である。
【符号の説明】
【００７９】
１０…スクリーンスピーカシステム
１１…スクリーンスピ−カ
１２…スクリーン
１４…筐体
１７ｃ…挿通孔
５０…駆動体
６０…接合手段
６１…ボルト
６３…ナット
７１…接合部
７３…スクリーン部（大画面）
７７…パテ（充填材）
７９…塗料
８１…メインユニット（制御ユニット）
【図１】
2006339996.tif 000003
【図２】
2006339996.tif 000004
【図３】
2006339996.tif 000005
【図４】
2006339996.tif 000006
【図５】
2006339996.tif 000007
【図６】
2006339996.tif 000008
【図７】
2006339996.tif 000009
【図８】
2006339996.tif 000010
【図９】
2006339996.tif 000011
【図１０】
2006339996.tif 000012
【図１１】
2006339996.tif 000013
【図１２】
2006339996.tif 000014
【図１３】
2006339996.tif 000015
【図１４】
2006339996.tif 000016
【図１５】
2006339996.tif 000017
【図１６】
2006339996.tif 000018
【図１７】
2006339996.tif 000019
【図１８】
2006339996.tif 000020
【図１９】
2006339996.tif 000021